Podtech/llm-jp-corpus-v4-ja_patent huggingface dataset:
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
一枚の用紙に複数の画像を配置して印刷するための制御を行う印刷制御装置であって、
印刷すべき画像の条件を入力する条件入力手段と、
画像の撮影日時を取得する取得手段と、
前記条件入力手段により入力された条件にあう画像を１枚の用紙に配置する配置手段とを有し、
前記配置手段は、前記条件入力手段により入力された条件に合う画像を前記取得手段により取得した撮影日時に基づいてグループ分けし、異なるグループに属する画像を１枚の用紙に配置することを特徴とする印刷制御装置。
【請求項２】
さらに、レイアウト指定手段を有し、
前記配置手段は、異なるグループに属する画像を、前記レイアウト指定手段により指定されたレイアウトに応じた数だけ配置することを特徴とする請求項１に記載の印刷制御装置。
【請求項３】
前記配置手段は、異なる年に撮影された画像を１枚の用紙に配置することを特徴とする請求項１または２に記載の印刷制御装置。
【請求項４】
前記条件入力手段では、前記条件として月日を入力可能であり、
前記配置手段は、前記条件入力手段により入力された月日に撮影された画像のうち、異なる年に撮影された画像を１枚の用紙に配置することを特徴とする請求項３に記載の印刷制御装置。
【請求項５】
前記条件入力手段では、前記条件として月日を入力可能であり、
前記条件入力手段により入力された月日に撮影された画像について、撮影年でグループ分けし、異なる年に撮影された画像を１枚の用紙に配置し、さらに、グループ数に応じて画像のレイアウトを決定することを特徴とする請求項１に記載の印刷制御装置。
【請求項６】
一枚の用紙に複数の画像を配置して印刷するための制御を行う印刷制御装置であって、
月日を入力する入力手段と、
画像の撮影日時を取得する取得手段と、
前記入力手段により入力された月日に撮影された画像を１枚の用紙に配置する配置手段とを有し、
前記配置手段は、前記入力手段により入力された月日に撮影された画像のうち、異なる年に撮影された画像を１枚の用紙に配置することを特徴とする印刷制御装置。
【請求項７】
一枚の用紙に複数の画像を配置して印刷するための制御を行う印刷制御方法であって、
取得手段が、画像の撮影日時を取得する手順と、
配置手段が、印刷すべき画像の条件を入力する条件入力手段により入力された条件にあう画像を１枚の用紙に配置する手順とを有し、
前記配置手段は、前記条件入力手段により入力された条件に合う画像を前記取得手段により取得した撮影日時に基づいてグループ分けし、異なるグループに属する画像を１枚の用紙に配置することを特徴とする印刷制御方法。
【請求項８】
一枚の用紙に複数の画像を配置して印刷するための制御を行う印刷制御方法であって、
取得手段が、画像の撮影日時を取得する取得手順と、
配置手段が、月日を入力する入力手段により入力された月日に撮影された画像を１枚の用紙に配置する手順とを有し、
前記配置手段は、前記入力手段により入力された月日に撮影された画像のうち、異なる年に撮影された画像を１枚の用紙に配置することを特徴とする印刷制御方法。
【請求項９】
一枚の用紙に複数の画像を配置して印刷するための制御を行うプログラムであって、
画像の撮影日時を取得する処理と、
印刷すべき画像の条件を入力する条件入力手段により入力された条件にあう画像を１枚の用紙に配置する処理とをコンピュータに実行させ、
前記画像を１枚の用紙に配置する処理では、前記条件入力手段により入力された条件に合う画像を前記取得した撮影日時に基づいてグループ分けし、異なるグループに属する画像を１枚の用紙に配置することを特徴とするプログラム。
【請求項１０】
一枚の用紙に複数の画像を配置して印刷するための制御を行うプログラムであって、
画像の撮影日時を取得する処理と、
月日を入力する入力手段により入力された月日に撮影された画像を１枚の用紙に配置する処理とをコンピュータに実行させ、
前記画像を１枚の用紙に配置する処理では、前記入力手段により入力された月日に撮影された画像のうち、異なる年に撮影された画像を１枚の用紙に配置することを特徴とするプログラム。
【請求項１１】
請求項９または１０に記載のプログラムを記憶したことを特徴とするコンピュータ読み取り可能な記憶媒体。
【手続補正２】
【補正対象書類名】明細書
【補正対象項目名】発明の名称
【補正方法】変更
【補正の内容】
【発明の名称】印刷制御装置、方法、プログラム及び記憶媒体
【手続補正３】
【補正対象書類名】明細書
【補正対象項目名】０００１
【補正方法】変更
【補正の内容】
【０００１】
本発明は、複数の画像を１枚の用紙に配置して印刷するのに好適な印刷制御装置、方法、プログラム及び記憶媒体に関する。
【手続補正４】
【補正対象書類名】明細書
【補正対象項目名】００１０
【補正方法】変更
【補正の内容】
【００１０】
本発明の印刷制御装置は、一枚の用紙に複数の画像を配置して印刷するための制御を行う印刷制御装置であって、印刷すべき画像の条件を入力する条件入力手段と、画像の撮影日時を取得する取得手段と、前記条件入力手段により入力された条件にあう画像を１枚の用紙に配置する配置手段とを有し、前記配置手段は、前記条件入力手段により入力された条件に合う画像を前記取得手段により取得した撮影日時に基づいてグループ分けし、異なるグループに属する画像を１枚の用紙に配置することを特徴とする。
本発明の他の印刷制御装置は、一枚の用紙に複数の画像を配置して印刷するための制御を行う印刷制御装置であって、月日を入力する入力手段と、画像の撮影日時を取得する取得手段と、前記入力手段により入力された月日に撮影された画像を１枚の用紙に配置する配置手段とを有し、前記配置手段は、前記入力手段により入力された月日に撮影された画像のうち、異なる年に撮影された画像を１枚の用紙に配置することを特徴とする。
【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
遊技球の入球が可能な始動口と、
前記始動口への遊技球の入球に基づいて、大当たりについての当落判定に供される当落判定用乱数を取得する当落用乱数取得手段と、
予め定められた始動条件の成立を待って、前記当落用乱数取得手段により取得された当落判定用乱数を、予め定められた一の当選確率にて大当たりが当選されるべく設定された複数の大当たり値との間で比較することにより前記大当たりについての当落判定を行う大当たり判定手段と、
遊技進行にかかる演出を行う遊技演出手段と、を備え、
前記遊技演出手段は、
前記当落用乱数取得手段により前記当落判定用乱数が取得されたとき、前記予め定められた始動条件が成立されて前記大当たり判定手段による当落判定が行われるのを待って、その当落判定の結果が示唆される当落示唆演出を実行する判定後演出手段、及び
前記当落用乱数取得手段により前記当落判定用乱数が取得されたとき、前記予め定められた始動条件の成立、及び前記大当たり判定手段による当落判定をいずれも待たずして、遊技の進行に先行した先行演出を所定の演出実行確率にて行う判定前演出手段
を有しており、
前記判定前演出手段は、
前記先行演出を実行するか否かについての演出判定処理として、前記所定の演出実行確率にて前記先行演出が実行されるべく設定された複数の演出当たり値との間での比較処理を行うにあたり、
前記複数の演出当たり値として、前記複数の大当たり値のいずれにも該当しないハズレ値の一部と、前記複数の大当たり値の一部とを用いるとともに、
前記複数の演出当たり値に対する比較値として、前記当落用乱数取得手段により取得された前記当落判定用乱数を用いる
ことを特徴とする遊技機。
【請求項２】
所定の演出画像が表示される演出表示手段をさらに備え、
前記演出表示手段には、キャラクタ演出画像が表示される
請求項１に記載の遊技機。
【請求項３】
前記始動口への遊技球の入球に基づいてリーチ判定用乱数を取得し、該取得したリーチ判定用乱数を用いて、前記演出表示手段にリーチ演出画像を表示するか否かを判定するリーチ演出判定手段をさらに備える
請求項２に記載の遊技機。
【手続補正２】
【補正対象書類名】明細書
【補正対象項目名】０００７
【補正方法】変更
【補正の内容】
【０００７】
上記課題を解決するための本発明に係る遊技機は、遊技球の入球が可能な始動口と、前記始動口への遊技球の入球に基づいて、大当たりについての当落判定に供される当落判定用乱数を取得する当落用乱数取得手段と、予め定められた始動条件の成立を待って、前記当落用乱数取得手段により取得された当落判定用乱数を、予め定められた一の当選確率にて大当たりが当選されるべく設定された複数の大当たり値との間で比較することにより前記大当たりについての当落判定を行う大当たり判定手段と、遊技進行にかかる演出を行う遊技演出手段と、を備え、前記遊技演出手段は、前記当落用乱数取得手段により前記当落判定用乱数が取得されたとき、前記予め定められた始動条件が成立されて前記大当たり判定手段による当落判定が行われるのを待って、その当落判定の結果が示唆される当落示唆演出を実行する判定後演出手段、及び前記当落用乱数取得手段により前記当落判定用乱数が取得されたとき、前記予め定められた始動条件の成立、及び前記大当たり判定手段による当落判定をいずれも待たずして、遊技の進行に先行した先行演出を予め定められた演出実行確率にて行う判定前演出手段を有しており、前記判定前演出手段は、前記先行演出を実行するか否かについての演出判定処理として、前記予め定められた演出実行確率にて前記先行演出が実行されるべく設定された複数の演出当たり値との間での比較処理を行うにあたり、前記複数の演出当たり値として、前記複数の大当たり値のいずれにも該当しないハズレ値の一部と、前記複数の大当たり値のうちの一部とを用いるとともに、前記複数の演出当たり値に対する比較値として、前記当落用乱数取得手段により取得された前記当落判定用乱数を用いることを特徴とする。
【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
照明光の被観察体への照射により前記被観察体から反射された反射光を撮像素子により受光して前記被観察体の通常像を撮像し、前記撮像素子から出力された画像信号に分光画像処理を施して所定波長の分光推定画像信号を生成する画像取得方法において、
前記撮像素子から出力された画像信号に基づいて、前記被観察体に投与される薬剤に関する特定波長の分光推定画像信号を輝度情報取得用分光推定画像信号として生成し、
所定の時間間隔を空けて生成された前記輝度情報取得用分光推定画像信号の輝度情報をそれぞれ取得し、該輝度情報の変化率を取得することを特徴とする画像取得方法。
【請求項２】
照明光を被観察体に照射する照明光照射部と、前記照明光の照射により前記被観察体から反射された反射光を受光して前記被観察体の通常像を撮像する撮像素子と、該撮像素子から出力された画像信号に分光画像処理を施して所定波長の分光推定画像信号を生成する分光画像処理部とを備えた画像取得装置において、
前記分光画像処理部が、前記撮像素子から出力された画像信号に基づいて、前記被観察体に投与される薬剤に関する特定波長の分光推定画像信号を輝度情報取得用分光推定画像信号として生成するものであり、
所定の時間間隔を空けて生成された前記輝度情報取得用分光推定画像信号の輝度情報をそれぞれ取得し、該輝度情報の変化率を取得する輝度情報取得部を備えたことを特徴とする画像取得装置。
【請求項３】
前記輝度情報取得部により取得された輝度情報の変化率に基づいて、前記撮像素子から出力された前記通常像に基づく画像信号または前記分光画像処理部で生成された分光推定画像信号の各画素に対して色を設定する配色設定部と、
該配色設定部より色を設定された前記画像信号に基づく通常画像または前記配色設定部により色を設定された前記分光推定画像信号に基づく分光推定画像を表示する表示部とを備えたことを特徴とする請求項２記載の画像取得装置。
【請求項４】
前記撮像素子が、体腔内に挿入されるスコープ部に設置されるものであり、
前記分光画像処理部が、前記撮像素子から出力された画像信号に基づいて、前記被観察体に投与される薬剤に関する特定波長とは異なる特定波長の分光推定画像信号を移動情報取得用分光推定画像信号として生成するものであり、
所定の時間間隔を空けて生成された各前記移動情報取得用分光推定画像信号の相違に基づいて、前記撮像素子の前記被観察体上における撮像範囲の移動情報を取得する移動情報取得部と、
該移動情報手段部により取得された移動情報に基づいて、前記輝度情報取得用分光推定画像信号の各画素の輝度情報の位置情報を補正する補正部とを備えたことを特徴とする請求項２または３記載の画像取得装置。
【請求項５】
前記薬剤に関する特定波長が、前記薬剤の吸収波長または蛍光波長であることを特徴とする請求項２から４いずれか１項記載の画像取得装置。
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
遊技球の入球が可能な始動口と、
前記始動口への遊技球の入球に基づいて、所定の当選確率にて大当たりが当選される当落判定処理に供される当落判定用乱数を取得する当落用乱数取得手段と、
前記当落用乱数取得手段により取得される当落判定用乱数をハズレ値と大当たり値とのいずれかにそれぞれ分類するとともに、該分類された大当たり値の前記ハズレ値に対する分類割合によって前記所定の当選確率を決定付ける当落確率決定付手段と、
予め定められた始動条件の成立を待って、前記当落用乱数取得手段により既に取得済みとされている当落判定用乱数を、前記当落確率決定付手段により分類された大当たり値との間で比較することにより前記当落判定処理を行う大当たり判定手段と、
前記大当り判定手段が前記所定の抽選確率にて大当たりが当選される前記当落判定処理を行うものでありながらも、その当落判定処理に先立って、不利付けされた遊技演出と有利付けされた遊技演出とのいずれかを選択的に実行する不利有利先行演出手段と、を備え、
前記不利有利先行演出手段は、
前記当落確率決定付手段による分類割合よりも低くなるように前記大当たり値の一部と前記ハズレ値の一部とがそれぞれ含まれる低確演出グループと、前記当落確率決定付手段による分類割合よりも高くなるように前記大当たり値の一部と前記ハズレ値の一部とがそれぞれ含まれる高確演出グループとを対の関係として設けることによって、前記不利付けされた遊技演出と前記有利付けされた遊技演出とを創出する不利有利付手段、及び
前記当落用乱数取得手段により前記当落判定用乱数が取得されたとき、該取得された当落判定用乱数が前記低確演出グループと前記高確演出グループとのいずれに属する値であるかを判断する演出グループ判断手段
を有しており、前記演出グループ判断手段により前記取得された当落判定用乱数が前記低確演出グループに属する値である旨判断されたときは、前記予め定められた始動条件の成立、及び前記大当たり判定手段による当落判定処理をいずれも待たずして、前記不利付けされた遊技演出を実行するとともに、前記演出グループ判断手段により前記取得された当落判定用乱数が前記高確演出グループに属する値である旨判断されたときは、前記予め定められた始動条件の成立、及び前記大当たり判定手段による当落判定処理をいずれも待たずして、前記有利付けされた遊技演出を実行する
ことを特徴とする遊技機。
【請求項２】
前記不利付けされた遊技演出は、所定の演出表示装置にて行われる
請求項１に記載の遊技機。
【請求項３】
前記有利付けされた遊技演出は、所定の演出表示装置にて行われる
請求項１または２に記載の遊技機。
【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
被検者の被検眼を撮影する撮影手段と、
前記被検眼の撮影の手順を登録するための撮影シーケンス登録手段と、
前記撮影シーケンス登録手段により登録された撮影シーケンスを表示手段に表示させる表示制御手段と、
を備えることを特徴とする医療用撮影装置。
【請求項２】
前記撮影シーケンス登録手段は、前記被検眼の眼底を撮影する撮影タイミングを登録し、
前記表示制御手段は、時間軸と、該時間軸に沿って前記撮影タイミングとを前記表示手段に表示させることを特徴とする請求項１に記載の医療用撮影装置。
【請求項３】
前記表示制御手段は、前記撮影タイミングに画像枠を表示させ、該画像枠の内部に前記被検眼の蛍光撮影画像を表示させることを特徴とする請求項２に記載の医療用撮影装置。
【請求項４】
前記撮影シーケンス登録手段は、前記撮影タイミングの許容時間を登録し、
前記表示制御手段は、前記時間軸に沿って前記許容時間を前記表示手段に表示させることを特徴とする請求項２あるいは３に記載の医療用撮影装置。
【請求項５】
前記撮影シーケンス登録手段は、前記被検者の年齢に応じて前記許容時間を登録することを特徴とする請求項４に記載の医療用撮影装置。
【請求項６】
前記許容時間を過ぎても撮影が実施されなかった場合に、前記撮影タイミング及び前記許容時間を所定時間後にずらすように調整する調整手段を備えることを特徴とする請求項４あるいは５に記載の医療用撮影装置。
【請求項７】
所定時刻からの経過時間を計時するための計時手段を有し、
前記表示制御手段は、前記撮影シーケンスと共に前記経過時間を前記時間軸上に表示させることを特徴とする請求項２乃至６のいずれか１項に記載の医療用撮影装置。
【請求項８】
前記経過時間は検査開始時からの時間であることを特徴とする請求項７に記載の医療用撮影装置。
【請求項９】
前記撮影シーケンス登録手段は、前記被検者の左右何れの被検眼を撮影するかを登録することを特徴とする請求項１乃至８のいずれか１項に記載の医療用撮影装置。
【請求項１０】
前記撮影シーケンスを全て実行したかどうかを判断する撮影判断手段と、
前記撮影判断手段が全ての前記撮影シーケンスを実行したと判断するまで検査を終了することを禁止する終了禁止手段と、
を備えることを特徴とする請求項１乃至９のいずれか１項に記載の医療用撮影装置。
【請求項１１】
被検者の被検眼を撮影する撮影手段と、
前記被検眼の撮影の手順を登録するための撮影シーケンス登録手段と、
前記撮影シーケンス登録手段により登録された撮影シーケンスを表示手段に表示させる表示制御手段と、
を備えることを特徴とする医療システム。
【請求項１２】
請求項１１に記載の医療システムの各機能をコンピュータに実行させるプログラム。
【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
第１の被検者の被検眼を複数回撮影する第１の検査における撮影間隔と、第２の被検者の被検眼の複数回撮影する第２の検査における撮影間隔とをそれぞれ設定する撮影間隔設定手段と、
前記第１及び第２の検査における撮影間隔に基づいて該第１の検査における複数回撮影の合間に該第２の検査における複数回撮影のうち少なくとも１回の撮影を行うタイミングを調整する調整手段と、
を有することを特徴とする医療用撮影装置。
【請求項２】
前記第１及び第２の検査における撮影間隔に基づいて該第１及び第２の検査における該複数回撮影の第１及び第２の準備時間を設定する準備時間設定手段を有し、
前記調整手段は、前記第１及び第２の準備時間が重複しないように前記第１の検査中に前記第２の検査を行うタイミングを調整することを特徴とする請求項１に記載の医療用撮影装置。
【請求項３】
前記準備時間は、前記撮影タイミングに基づいて設定される前記少なくとも１回の撮影前の準備から該撮影後の準備までの時間であることを特徴とする請求項２に記載の医療用撮影装置。
【請求項４】
前記準備時間設定手段は、前記被検眼を撮影する撮影モードに応じて前記準備時間を設定することを特徴とする請求項２あるいは３に記載の医療用撮影装置。
【請求項５】
前記準備時間設定手段は、前記複数の被検者それぞれの年齢に応じて前記準備時間を設定することを特徴とする請求項２あるいは３に記載の医療用撮影装置。
【請求項６】
前記調整手段は、実行中の前記第１の検査の前記準備時間に対して、新たに実行する前記第２の検査の前記準備時間が重複しないように、該第２の検査の開始タイミングを調整することを特徴とする請求項２乃至５のいずれか１項に記載の医療用撮影装置。
【請求項７】
実行中の前記第１の検査に対して、新たに実行する前記第２の検査を割り込ませる場合に、前記準備時間同士が重複するか否かを判断する判断手段を有することを特徴とする請求項２乃至６のいずれか１項に記載の医療用撮影装置。
【請求項８】
予約済の検査と該検査に対応する前記判断手段による判断結果を表示手段の予約済検査画面に表示させる表示制御手段を有することを特徴とする請求項７に記載の医療用撮影装置。
【請求項９】
前記準備時間は、実行中の前記第１の検査に対して、新たに実行する前記第２の検査を割り込ませる場合に、前記第１の被検者と前記第２の被検者との入れ替え作業に必要な時間であることを特徴とする請求項２乃至８のいずれか１項に記載の医療用撮影装置。
【請求項１０】
前記検査は、前記被検眼の蛍光撮影であり、
前記撮影間隔設定手段は、前記蛍光撮影の経過時間に応じて設定されることを特徴とする請求項１乃至９のいずれか１項に記載の医療用撮影装置。
【請求項１１】
第１の被検者の被検眼を複数回撮影する第１の検査における撮影間隔と、第２の被検者の被検眼の複数回撮影する第２の検査における撮影間隔とをそれぞれ設定する撮影間隔設定手段と、
前記第１及び第２の検査における撮影間隔に基づいて該第１及び第２の検査における該複数回撮影の第１及び第２の準備時間を設定する準備時間設定手段を有し、
前記第１及び第２の準備時間が重複するか否かを判断する判断手段と、
を有することを特徴とする医療用撮影装置。
【請求項１２】
実行中の前記第１の検査に対して、新たに実行する前記第２の検査を現時点で割り込ませる場合に、前記判断手段は前記準備時間同士が重複するか否かを判断することを特徴とする請求項１１に記載の医療用撮影装置。
【請求項１３】
予約済の検査と該検査に対応する前記判断手段による判断結果を表示手段の予約済検査画面に表示させる表示制御手段を有することを特徴とする請求項１２に記載の医療用撮影装置。
【請求項１４】
請求項１乃至１３のいずれか１項に記載の医療用撮影装置の各機能をコンピュータで実行するためのプログラム。
【請求項１５】
第１の被検者の被検眼を複数回撮影する第１の検査における撮影間隔と、第２の被検者の被検眼の複数回撮影する第２の検査における撮影間隔とをそれぞれ設定する撮影間隔設定手段と、
前記第１及び第２の検査における撮影間隔に基づいて該第１の検査における複数回撮影の合間に該第２の検査における複数回撮影のうち少なくとも１回の撮影を行うタイミングを調整する調整手段と、
を有することを特徴とする医療用システム。
【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
外郭を構成する固定枠と、
前記固定枠の前面側にて開閉可能に支持された扉体と、
前記扉体に設けられ、前記固定枠に対し前記扉体を施錠する施錠装置とを備え、
前記施錠装置が、
鍵により操作される錠部材と、
少なくとも前記鍵の操作に応じた前記錠部材の動作に連動して、前記固定枠に設けられた被係合部材に対し係合されて前記扉体の開放を規制する係合位置と、前記被係合部材から離脱して前記扉体の開放を許容する非係合位置とに変位可能な鉤部材とを備えた遊技機において、
前記被係合部材及びこれに係合される前記鉤部材を囲む遮蔽部材を備えるとともに、
前記遮蔽部材の一部に切離し又は切開き可能な蓋部を備えることにより、当該遮蔽部材に開口部を形成可能とし、
前記開口部を介して、前記鉤部材と前記被係合部材との係合状態の解除操作を可能としたことを特徴とする遊技機。
【請求項２】
前記鉤部材は、所定の工具を係合可能な工具係合部を備えていることを特徴とする請求項１に記載の遊技機。
【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
外郭を構成する固定枠と、
前記固定枠の前面側にて開閉可能に支持された扉体と、
前記扉体に設けられ、前記固定枠に対し前記扉体を施錠する施錠装置とを備え、
前記施錠装置が、
鍵により操作される錠部材と、
少なくとも前記鍵の操作に応じた前記錠部材の動作に連動して、前記固定枠に設けられた被係合部材に対し係合されて前記扉体の開放を規制する係合位置と、前記被係合部材から離脱して前記扉体の開放を許容する非係合位置とに変位可能な鉤部材とを備えた遊技機において、
前記被係合部材及びこれに係合される前記鉤部材を囲む遮蔽部材を備えるとともに、
前記遮蔽部材の一部に切離し又は切開き可能な蓋部を備えることにより、当該遮蔽部材に開口部を形成可能とし、
前記遮蔽部材の本体部と前記蓋部とが金属製材料により一体形成されていることを特徴とする遊技機。
【請求項２】
前記被係合部材と前記遮蔽部材とを一体としたことを特徴とする請求項１に記載の遊技機。
【請求項３】
前記施錠装置は、
少なくとも前記鍵の操作に応じた前記錠部材の動作に連動して、前記扉体の閉時において前記鉤部材の解錠方向への動きを規制する第１状態と、前記鉤部材の解錠方向への動きを許容する第２状態へ変化可能なロック部材を備え、
前記遮蔽部材は、前記鉤部材とともに前記ロック部材を囲む構成となっていることを特徴とする請求項１又は２に記載の遊技機。
【手続補正書】
【提出日】平成23年6月14日(2011.6.14)
【手続補正１】
【補正対象書類名】特許請求の範囲
【補正対象項目名】全文
【補正方法】変更
【補正の内容】
【特許請求の範囲】
【請求項１】
可塑化された樹脂材料を一対の金型により形成されるキャビティ内へ射出するノズルを有する射出機構部と、
前記一対の金型の型締めを行う型締め機構部と、
前記型締め機構部において前記ノズルが固定保持される周囲の位置に配置され、前記ノズルを加熱する加熱手段を有する加熱部材と、
を備えることを特徴とする射出成形機。
【請求項２】
前記加熱部材の温度を検知する検知手段の検知結果に基づいて、前記加熱手段の加熱動作を制御する制御手段をさらに備えることを特徴とする請求項１に記載の射出成形機。
【請求項３】
前記加熱部材は、前記型締め機構部の固定プラテンに一体的に取り付けられており、前記ノズルは前記固定プラテンに対して前記加熱部材を介して固定保持されていることを特徴とする請求項１又は２に記載の射出成形機。
【請求項４】
前記加熱部材と、前記型締め機構部の固定プラテンとの間に配置された断熱材をさらに備えることを特徴とする請求項１乃至３のいずれか１項に記載の射出成形機。
【請求項５】
前記加熱部材と、前記加熱手段と、前記検知手段とが、前記型締め機構部の固定プラテンに対して着脱自在に配置されていることを特徴とする請求項２に記載の射出成形機。
【手続補正２】
【補正対象書類名】明細書
【補正対象項目名】００１０
【補正方法】変更
【補正の内容】
【００１０】
上述した課題を解決し、目的を達成するために、本発明に係わる射出成形機は、可塑化された樹脂材料を一対の金型により形成されるキャビティ内へ射出するノズルを有する射出機構部と、前記一対の金型の型締めを行う型締め機構部と、前記型締め機構部において前記ノズルが固定保持される周囲の位置に配置され、前記ノズルを加熱する加熱手段を有する加熱部材と、を備えることを特徴とする。
【手続補正書】
【提出日】平成23年6月16日(2011.6.16)
【手続補正１】
【補正対象書類名】明細書
【補正対象項目名】００５５
【補正方法】変更
【補正の内容】
【００５５】
酸化触媒微粒子２‐Ａ及び酸化触媒微粒子２‐Ｂの前駆体となる金属化合物としては、例えば、（ＮＨ4）2ＰｄＣｌ4や、Ｋ2ＰｄＣｌ4や、Ｋ2ＰｄＢｒ4や、Ｎａ2ＰｄＢｒ4や、Ｈ2ＰｔＣｌ4・6Ｈ２Ｏや、Ｋ2ＰｔＣｌ4や、（ＮＨ4）2ＰｔＣｌ4や、Ｎａ2Ｐｔ（ＣＮ）4や、Ｎａ2ＰｔＣｌ4や、Ｋ2Ｐｔ（ＮＯ2）4や、（ＮＨ4）2ＰｔＣｌ6や、ＰｔＣｌ4・5Ｈ2Ｏや、Ｋ2ＰｔＢｒ4や、Ｎａ2ＰｔＢｒ4や、ＨＡｕＣｌ4・4Ｈ2Ｏや、ＮＨ4ＡｕＣｌ4や、ＫＡｕＣｌ4・ｎＨ2Ｏや、ＫＡｕ（ＣＮ）4や、Ｎａ2ＡｕＣｌ4や、ＫＡｕＢｒ4・2Ｈ2Ｏや、ＮａＡｕＢｒ4などが挙げられる。
【手続補正２】
【補正対象書類名】明細書
【補正対象項目名】００７２
【補正方法】変更
【補正の内容】
【００７２】
続いて、0.1ｍｍｏｌのＨＡｕＣｌ4・4Ｈ2Ｏを100ｍｌの水に溶解させ、70℃に加温してＮａＯＨ水溶液でｐＨ7に調製し、上記前駆体を浸漬させ、1時間攪拌した。その後、水溶液からＰＥＴ製不織布を取り出し、減圧乾燥して、窒素雰囲気下、100℃で4時間加熱し、Ａｕ担持ＰＥＴ製不織布を調製した。
【手続補正３】
【補正対象書類名】明細書
【補正対象項目名】００７３
【補正方法】変更
【補正の内容】
【００７３】
さらに、0.02ｍｍｏｌの（ＮＨ4）2ＰｄＣｌ4を500ｍｌの水に溶解させ、70℃に加温してＮａＯＨ水溶液でｐＨ8に調製し、上記調製したＡｕ担持ＰＥＴ製不織布を浸漬させ、1時間攪拌した。その後、水溶液からＰＥＴ製不織布を取り出し、減圧乾燥して、窒素雰囲気下、100℃で4時間加熱し、複合化触媒担持ＰＥＴ製不織布を調製した。
【手続補正４】
【補正対象書類名】明細書
【補正対象項目名】００７７
【補正方法】変更
【補正の内容】
【００７７】
さらに、0.1ｍｍｏｌのＨＡｕＣｌ4・4Ｈ2Ｏを100ｍｌの水に溶解させ、70℃に加温してＮａＯＨ水溶液でｐＨ7に調製し、Ｐｄ担持ＰＥＴ製不織布を浸漬させ、1時間攪拌した。その後、水溶液からＰＥＴ製不織布を取り出し、減圧乾燥して、窒素雰囲気下、100℃で4時間加熱し、複合化触媒担持ＰＥＴ製不織布を調製した。
【手続補正５】
【補正対象書類名】明細書
【補正対象項目名】００８２
【補正方法】変更
【補正の内容】
【００８２】
（実施例６）
実施例４において、0.02ｍｍｏｌの（ＮＨ4）2ＰｄＣｌ4のかわりに、0.05ｍｍｏｌのＨ2ＰｔＣｌ4・6Ｈ2Ｏを500ｍｌの水に溶解させて調製した以外は実施例４と同様の手順でサンプルを作製した。
【手続補正６】
【補正対象書類名】明細書
【補正対象項目名】００９１
【補正方法】変更
【補正の内容】
【００９１】
（実施例１１）
実施例１０のスチールウールのかわりに金属製５００メッシュを用いた以外は実施例１０と同様の手順でサンプルを作製した。
【手続補正７】
【補正対象書類名】明細書
【補正対象項目名】００９２
【補正方法】変更
【補正の内容】
【００９２】
（実施例１２）
実施例６において、さらに0.1ｍｍｏｌのIrＣｌ4を100ｍｌの水に溶解させ、70℃に加温してＮａＯＨ水溶液でｐＨ8に調製し、実施例２で調製したサンプルを浸漬させ、1時間攪拌した。その後、水溶液からＰＥＴ製不織布を取り出し、減圧乾燥して、窒素雰囲気下、100℃で4時間加熱し、サンプルを調製した。
【手続補正８】
【補正対象書類名】明細書
【補正対象項目名】００９４
【補正方法】変更
【補正の内容】
【００９４】
（比較例２）
実施例２において、ＨＡｕＣｌ4・4Ｈ2Ｏのみを調製した以外は実施例２と同様の手順でサンプルを作製した。
【手続補正９】
【補正対象書類名】明細書
【補正対象項目名】００９７
【補正方法】変更
【補正の内容】
【００９７】
【表１】
2010005568.tif 000001
【手続補正１０】
【補正対象書類名】明細書
【補正対象項目名】０１０３
【補正方法】変更
【補正の内容】
【０１０３】
＜ホルムアルデヒドの分解率＞
調製した試料3ｃｍ3をアルミ容器に入れた後、50ｐｐｍ程度の濃度のホルムアルデヒドを0.2Ｌ／ｍｉｎで通過するようにアルミ容器内を通過させる。アルミ容器内を通過した気体をテドラーパックに密封し、テドラーパック内のホルムアルデヒド濃度をガスクロマトグラフィー（アジレント・テクノロジー株式会社製）を用いて測定した。この時、触媒とホルムアルデヒドガスとが接触する部分の温度を25℃、50℃、75℃、100℃に保ち試験を行った。
【手続補正書】
【提出日】平成23年5月19日(2011.5.19)
【手続補正１】
【補正対象書類名】明細書
【補正対象項目名】０００５
【補正方法】変更
【補正の内容】
【０００５】
しかしながら、これら公知の方法で得られる触媒は、物性、触媒活性、目的生成物選択性などの点で工業触媒として必ずしも十分ではなく、一般に工業的知見から更なる改良が望まれている。
【特許文献１】特開昭６０−１５０８３４号公報
【特許文献２】特開２００２−２８２６９６号公報
【手続補正書】
【提出日】平成23年3月22日(2011.3.22)
【手続補正１】
【補正対象書類名】特許請求の範囲
【補正対象項目名】全文
【補正方法】変更
【補正の内容】
【特許請求の範囲】
【請求項１】
磁性体粒子と、前記磁性体粒子の表面に担持された両親媒性基とを具備したことを特徴とする機能性粒子。
【請求項２】
前記両親媒性基が、炭化水素基を有するアンモニウム基である、請求項１に記載の機能性粒子。
【請求項３】
前記両親媒性基が、炭化水素基を有するカルボキシレート基である、請求項１に記載の機能性粒子。
【請求項４】
前記両親媒性基に含まれる疎水性基が炭素数８以上のアルキル基である、請求項１〜３のいずれか１項に記載の機能性粒子。
【請求項５】
前記両親媒性基に含まれる疎水性基が芳香族基である、請求項１〜３のいずれか１項に記載の機能性粒子。
【請求項６】
前記磁性体粒子の平均粒子径が０．１〜１０００μｍである、請求項１〜５のいずれか１項に記載の機能性粒子。
【請求項７】
磁性体粒子がマグネタイトである、請求項１〜６のいずれか１項に記載の機能性粒子。
【請求項８】
磁性体粒子にアルコキシシリル基およびアミノ基を含有するシランカップリング剤を反応させて表面処理し、次いでハロゲン化炭化水素またはカルボン酸を反応させることにより、磁性体粒子の表面に両親媒性基が担持されたものである、請求項１〜７のいずれか１項に記載の機能性粒子。
【請求項９】
シランカップリング剤が３−アミノプロピルトリエトキシシランである、請求項８に記載の機能性粒子。
【請求項１０】
シランカップリング剤を反応させる前に、磁性体粒子をアルコール洗浄する、請求項８または９に記載の機能性粒子。
【請求項１１】
請求項１〜１０のいずれか１項に記載の機能性粒子を、不純物を含む水の中に分散させることにより、前記機能性粒子の表面に前記不純物を吸着させる工程と、
不純物が吸着した機能性粒子を磁力を利用して収集し、回収する工程と、
を備えることを特徴とする、水処理方法。
【請求項１２】
前記の不純物を含む水が工業排水である、請求項１１に記載の水処理方法。
【請求項１３】
前記の吸着後の機能性粒子を、メタノール、エタノール、ｎ−プロパノール、イソプロパノール、アセトン、テトラヒドロフラン、ｎ−ヘキサン、シクロヘキサン、およびそれらの混合物から選ばれるいずれか１種類の有機溶媒により洗浄して再生し、さらなる水処理に利用する請求項１１または１２に記載の水処理方法。
【手続補正２】
【補正対象書類名】明細書
【補正対象項目名】０００３
【補正方法】変更
【補正の内容】
【０００３】
また、固液分離等を目的とし、フィルターを用いて被処理水を濾過して有機物などからなる不純物等（以下、簡単のために不純物という）を分離し除去する浄化装置が知られている。このような浄化装置においては、微細な開口部を有するフィルターを具備してなりそのフィルターを被処理水が通過するように構成される。被処理水中の不純物は、その投影面積（または投影直径）が、フィルターの開口部投影面積（または開口部径）よりも大きい場合は通過できずに捕捉分離され、フィルターを透過した水が浄化水として回収される。さらに、同じフィルターで処理を繰り返すと、フィルターの入口側に不純物が順次堆積し圧力損失が増大して通水量が低下するという問題が発生する。このような問題が発生した場合、処理をいったん停止し、フィルターに浄化水などを逆方向から流してフィルターに堆積した不純物を除去しなければならない。
【手続補正３】
【補正対象書類名】明細書
【補正対象項目名】００１２
【補正方法】変更
【補正の内容】
【００１２】
しかし、本発明者らの検討によれば、特許文献１に記載されたような表面に疎水性皮膜を有する磁性体粒子は、表面が疎水性であるために被処理水への分散性が不十分であり、改良の余地があることがわかった。分散性が不十分であると、不純物が十分に磁性体粒子に吸着しないために、不純物除去も不十分となってしまう傾向にあった。
【特許文献１】特開２０００−１７６３０６号公報
【手続補正４】
【補正対象書類名】明細書
【補正対象項目名】００３１
【補正方法】変更
【補正の内容】
【００３１】
このような方法に用いることができるハロゲン化炭化水素としては、ハロゲン化脂肪族炭化水素あるいはハロゲン化芳香族炭化水素が挙げられる。ハロゲン化脂肪族炭化水素としては、ヘプタン、オクタン、ノナン、デカン、ウンデカン、ドデカン、トリデカン、テトラデカン、ペンタデカン、ヘキサデカン、ヘプタデカン、オクタデカン、ノナデカン、イコサン、ヘンイコサン、ドコサン、トリコサン、テトラコサン、ペンタコサン、ヘキサコサン、ヘプタコサン、オクタコサン、ノナコサン、トリアコサン等の分岐あるいは直鎖状の炭化水素の水素がハロゲン原子により置換されたものが挙げられる。これらの中で特に好ましいものは、飽和あるいは不飽和炭化水素の末端にハロゲン原子が結合した１級のハロゲン化脂肪族炭化水素基である。ハロゲン原子はフッ素、塩素、臭素、ヨウ素原子のいずれであってもよいが、特に塩素、臭素、ヨウ素原子が挙げられる。
また、ハロゲン化芳香族炭化水素としては、ベンジルクロリド、１，２−、１，３−、または１，４−ジクロロベンゼン、１−または２−クロロメチルナフタレン、９−クロロメチルアントラセン、あるいは１，４−または１，５−ジクロロナフタレン等が挙げられる。これらの塩素原子は、フッ素、塩素、臭素、またはヨウ素原子で置き換えられてもよい。
【手続補正５】
【補正対象書類名】明細書
【補正対象項目名】００３２
【補正方法】変更
【補正の内容】
【００３２】
また、アミノ基にカルボン酸を反応させて両親媒性基を形成させる場合、用いることができるカルボン酸としては、飽和脂肪族カルボン酸、不飽和脂肪族カルボン酸、芳香族カルボン酸などが挙げられる。飽和脂肪族カルボン酸としては、酢酸、プロピオン酸、ブタン酸、ペンタン酸、ヘキサン酸、ヘプタン酸、オクタン酸、ノナン酸、デカン酸、テトラデカン酸、ペンタデカン酸、ヘキサデカン酸、ヘプタデカン酸、オクタデカン酸、ノナデカン酸、イコサン酸、ドコサン酸、テトラドコサン酸、ヘキサドコサン酸、オクタドコサン酸などのモノカルボン酸、シュウ酸、マロン酸、コハク酸、グルタル酸、アジピン酸、ピメリン酸、スベリン酸、アゼライン酸、セバシン酸などのジカルボン酸が挙げられる。また、ポリメタクリル酸、アクリル酸などのポリマー状カルボン酸も挙げることができる。カルボキシル基を２以上有するカルボン酸を用いた場合、これらのカルボン酸は、それぞれアミノ基などと反応し、分子鎖の末端がそれぞれアミノ基に結合するものと考えられる。
【手続補正６】
【補正対象書類名】明細書
【補正対象項目名】００６７
【補正方法】変更
【補正の内容】
【００６７】
実施例１０
１−ブロモデカンをステアリルブロマイドに変更した以外は実施例７と同様にして機能性粒子を合成し、同様の方法で評価した。
【手続補正７】
【補正対象書類名】明細書
【補正対象項目名】００７２
【補正方法】変更
【補正の内容】
【００７２】
本発明による機能性粒子（ハロゲン化アルキルの炭素数が１０個以上の場合：実施例７〜１０）は、油の吸着能が優れていること、分散性についても優れていたことが判明した。また、疎水性基として芳香族基を有する場合（実施例１１および１２）も吸着性と分散性が優れていることがわかった。
【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
球通路内に出入して遊技球の通過を許可ないし禁止する球止片と、一方向に磁気吸引されるとともに付勢手段により付勢されて逆方向に復帰することにより直線上を往復するプランジャを備えるソレノイドとを有し、前記プランジャの往復動による駆動力を前記球止片に伝達して該球止片を動作させるよう駆動する動力伝達機構が構成されてなる遊技球流通制御機構が設けられた遊技機であって、
前記動力伝達機構の少なくとも一部に当接して該動力伝達機構の動作にともなう動力を緩和する緩衝手段を備えることを特徴とする遊技機。
【請求項２】
前記球止片を禁止位置に規制する規制機構が設けられていることを特徴とする請求項１に記載の遊技機。
【請求項３】
前記規制機構が、球止片の一部がプランジャないしリンク部材の一部に当接することにより該球止片を禁止位置に規制する機構となっていることを特徴とする請求項２に記載の遊技機。
【請求項４】
前記緩衝手段が、衝撃吸収板を壁状体に貼着することにより構成されていることを特徴とする請求項１から請求項３のいずれかに記載の遊技機。
【手続補正２】
【補正対象書類名】明細書
【補正対象項目名】００７８
【補正方法】変更
【補正の内容】
【００７８】
また、ケーシング３３ａ内には、払出フリッカ３３ｂの下方の位置に、水平方向に沿って横壁３３ｋが一体的に形成されている。球通路３３ｄの下流側における払出通路３３ｅと排出通路３３ｆとの分岐部の一方側壁（図では右側壁）の外側（図では右側）には円筒形状のネジ挿通部が一体的に形成されているが、上記横壁３３ｋは、このネジ挿通部からケーシング３３ａの一方側壁（図では右側壁）の内面に達するまで水平に延びるように、ケーシング３３ａと一体的に形成されている。上記横壁３３ｋにおける払出ソレノイド３３ｃの直下の位置には、後端縁（図では前端縁）から平面視矩形状に内側（後側）へ陥入する切欠が形成され、この切欠を通して、後述する押圧片３３ｉが動作し得るようになっている。この切欠と前記ネジ挿通部との間における横壁３３ｋの上面には、後述する衝撃吸収板３３ｍが配置されている。
【手続補正３】
【補正対象書類名】明細書
【補正対象項目名】００８３
【補正方法】変更
【補正の内容】
【００８３】
また、払出装置３３には、横断面略コ字形状のカウントセンサ３３ｈを装着してある。カウントセンサ３３ｈは、払出フリッカ３３ｂの出入部３３ｂ５のすぐ下流側に配置され、球通路３３ｄを落下する遊技球を計数するためのものである。カウントセンサ３３ｈにて検知した遊技球の個数が所定値（例えば３５個、７５個、１２５個又は２５０個）に達すると、払出ソレノイド３３ｃの通電が切られ、払出フリッカ３３ｂにて球通路３３ｄ内の遊技球の通過を不可とする構成になっている。
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
被検体の呼吸又は息止め動作を指示するための表示をする指示表示装置を備えた医用画像撮影装置であって、
撮影開始からの経過時間を計測する計測装置と、
前記計測装置の計測結果に基づき息止め残り時間が予め定められた時間に達したか否かを判定する判定装置と、
前記判定装置の判定結果に基づき前記指示表示装置の制御を開始する制御装置と、
を備えることを特徴とする医用画像撮影装置。
【請求項２】
請求項１に記載の医用画像撮影装置において、
前記指示表示装置は経過時間にともなって変化する図形を表示するものであり、
前記制御装置は前記息止め残り時間を線形的に減少させて前記指示表示装置に表示させることを特徴とする医用画像撮影装置。
【請求項３】
請求項１に記載の医用画像撮影装置において、
前記指示表示装置は経過時間にともなって変化する図形を表示するものであり、
前記制御装置は前記息止め残り時間が減少するにともなって減少速度を速めて前記指示表示装置に表示させることを特徴とする医用画像撮影装置。
【手続補正２】
【補正対象書類名】明細書
【補正対象項目名】０００４
【補正方法】変更
【補正の内容】
【０００４】
ところで、撮影残り時間の表示は被検体にとって、残り時間が正確にわかる一方で、「表示された時間、息止めを維持できるだろうか」という心理的抑圧を生じさせる。また、被検体が撮影中に息止めを止めてしまうと、それまでの撮影時間が無駄になり、撮影ミスとなってしまう。
【手続補正３】
【補正対象書類名】明細書
【補正対象項目名】０００７
【補正方法】変更
【補正の内容】
【０００７】
以上の検討結果をふまえ、先に述べた課題を解決するために、本発明は、
被検体の呼吸又は息止め動作を指示するための表示をする指示表示装置を備えた医用画像撮影装置であって、撮影開始からの経過時間を計測する計測装置と、前記計測装置の計測結果に基づき息止め残り時間が予め定められた時間に達したか否かを判定する判定装置と、前記判定装置の判定結果に基づき前記指示表示装置の制御を開始する制御装置と、を備えることを特徴とする。
【手続補正４】
【補正対象書類名】図面
【補正対象項目名】図４
【補正方法】変更
【補正の内容】
【図４】
2010005192.tif 000001
【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
遊技球の入球が可能な第１始動口と、
前記第１始動口よりも遊技球の入球が困難とされる第２始動口と、
前記第１始動口及び前記第２始動口のいずれかへの遊技球の入球に基づいて所定情報を取得し、該取得された所定情報を、入球された始動口の別に記憶する入球処理手段と、
所定の始動条件が成立したことに基づいて、前記入球された始動口の別に記憶された所定情報のうちの１つと、複数のハズレ値および複数の大当たり値を含む大当たり判定値とを比較するにあたり、前記始動口のうちいずれか一方の始動口への入賞に基づいて取得された所定情報を、他方の始動口への入賞に基づいて取得された所定情報よりも優先して比較することで、大当たりにかかる当落の判定処理を行う大当たり判定手段と、
前記所定の始動条件が成立したことに基づいて、前記大当たり判定手段による判定処理の結果が表示される表示演出を、所定の表示領域にて行う表示演出制御手段と、
前記所定の始動条件の成立に先だって、前記大当たりにかかる当落の判定処理の優先度合いが相対的に高い前記一方の始動口への入賞に基づいて取得された所定情報と、前記複数のハズレ値の一部および前記複数の大当たり値の一部を含む特殊演出判定値とを比較することで、特殊演出にかかる当落の判定処理を行いうる特殊演出判定手段と、
前記特殊演出にかかる判定処理にて当たりであると判定されたことに基づいて、前記大当たりが到来する可能性を、前記始動条件の成立に先だって示唆しうる好機到来示唆手段と、を備え、
前記大当たりにかかる当落の判定処理の優先度合いが相対的に低い前記他方の始動口への入賞に基づいて取得された所定情報については、前記好機到来示唆手段による示唆を抑制するようにした
ことを特徴とする遊技機。
【請求項２】
所定の演出画像が表示される演出表示手段をさらに備え、
前記演出表示手段には、キャラクタ演出画像が表示される
請求項１に記載の遊技機。
【請求項３】
前記第１の始動口または前記第２の始動口への遊技球の入球に基づいてリーチ判定用乱数を取得し、該取得したリーチ判定用乱数を用いて、前記演出表示手段にリーチ演出画像を表示するか否かを判定するリーチ演出判定手段をさらに備える
請求項２に記載の遊技機。
【手続補正２】
【補正対象書類名】明細書
【補正対象項目名】０００８
【補正方法】変更
【補正の内容】
【０００８】
上記課題を解決するための本発明に係る遊技機は、遊技球の入球が可能な第１始動口と、前記第１始動口よりも遊技球の入球が困難とされる第２始動口と、前記第１始動口及び前記第２始動口のいずれかへの遊技球の入球に基づいて所定情報を取得し、該取得された所定情報を、入球された始動口の別に記憶する入球処理手段と、所定の始動条件が成立したことに基づいて、前記入球された始動口の別に記憶された所定情報のうちの１つと、複数のハズレ値および複数の大当たり値を含む大当たり判定値とを比較するにあたり、前記始動口のうちいずれか一方の始動口への入賞に基づいて取得された所定情報を、他方の始動口への入賞に基づいて取得された所定情報よりも優先して比較することで、大当たりにかかる当落の判定処理を行う大当たり判定手段と、前記所定の始動条件が成立したことに基づいて、前記大当たり判定手段による判定処理の結果が表示される表示演出を、所定の表示領域にて行う表示演出制御手段と、前記所定の始動条件の成立に先だって、前記大当たりにかかる当落の判定処理の優先度合いが相対的に高い前記一方の始動口への入賞に基づいて取得された所定情報と、前記複数のハズレ値の一部および前記複数の大当たり値の一部を含む特殊演出判定値とを比較することで、特殊演出にかかる当落の判定処理を行いうる特殊演出判定手段と、前記特殊演出にかかる判定処理にて当たりであると判定されたことに基づいて、前記大当たりが到来する可能性を、前記始動条件の成立に先だって示唆しうる好機到来示唆手段と、を備え、前記大当たりにかかる当落の判定処理の優先度合いが相対的に低い前記他方の始動口への入賞に基づいて取得された所定情報については、前記好機到来示唆手段による示唆を抑制するようにしたことを特徴とする。